(57)【要約】【課題】より簡単な構成でテールコード（給電線）の線心数を削減する。【解決手段】本発明の一態様のエレベーターは、複数の電気機器が配置された乗りかごと、複数の線心から構成される給電線を用いて複数の電気機器に電力を供給する制御装置９と、を備えたエレベーターであって、制御装置９は、起動時に突入電流が発生する高負荷の電気機器を先に起動し（ＳＷ１オン）、負荷電流が定常状態に移行した後に、突入電流が発生しない低負荷の電気機器を起動する（ＳＷ２オン）。【選択図】図３
2019006532.tif 000002
【特許請求の範囲】
【請求項１】
複数の電気機器が配置された乗りかごと、複数の線心から構成される給電線を用いて複数の前記電気機器に電力を供給する制御装置と、を備えたエレベーターであって、
前記制御装置は、起動時に突入電流が発生する高負荷の電気機器を先に起動し、負荷電流が定常状態に移行した後に、突入電流が発生しない低負荷の電気機器を起動する
エレベーター。
【請求項２】
複数の前記電気機器と前記突入電流の有無とが対応づけて登録された電気機器テーブルを備え、
前記制御装置は、前記電気機器テーブルを参照して、複数の前記電気機器を起動する順番を決定する
請求項１に記載のエレベーター。
【請求項３】
前記乗りかごとして、上下に連結された上かごと下かごとを備え、
前記電気機器として、前記上かごに少なくとも前記突入電流が発生する第１の高負荷電気機器と前記突入電流が発生しない第１の低負荷電気機器が配置され、前記下かごに少なくとも前記突入電流が発生する第２の高負荷電気機器と前記突入電流が発生しない第２の低負荷電気機器が配置されており、
前記制御装置は、前記電気機器テーブルを参照して、始めに第１の高負荷電気機器を起動し、次に第１の低負荷電気機器を起動し、続いて第２の高負荷電気機器を起動し、次に第２の低負荷電気機器を起動する
請求項１又は２に記載のエレベーター。
【請求項４】
前記電気機器として、少なくとも前記乗りかごに前記突入電流が発生する第１の高負荷電気機器及び第２の高負荷電気機器と、前記突入電流が発生しない第１の低負荷電気機器とが配置されており、
前記制御装置は、前記電気機器テーブルを参照して、始めに第１の高負荷電気機器を起動し、次に第２の高負荷電気機器を起動し、続いて第１の低負荷電気機器を起動する
請求項１又は２に記載のエレベーター。
【請求項５】
複数の電気機器が配置された乗りかごと、複数の線心から構成される給電線を用いて複数の前記電気機器に電力を供給する制御装置と、を備えたエレベーターの電力供給方法であって、
前記制御装置が、起動時に突入電流が発生する高負荷の電気機器を先に起動するステップと、
前記制御装置が、負荷電流が定常状態に移行した後に、突入電流が発生しない低負荷の電気機器を起動するステップと、を含む
電力供給制御方法。
【発明の詳細な説明】
【技術分野】
【０００１】
本発明は、テールコードを介して行う乗りかごへの電力供給を行うエレベーター、及び電力供給制御方法に関する。
【背景技術】
【０００２】
特許文献１には、機械室制御盤と乗りかご間を電力の送電及びエレベーター制御用信号を伝送する複数本の線心からなるテールコードを備えたエレベーターにおいて、乗りかごに備えられている複数の負荷に電力を供給する送電路を一つにし、かつ送電する電力の電圧を負荷の定格電圧よりも高くして送電することが記載されている。
【先行技術文献】
【特許文献】
【０００３】
【特許文献１】特開平５−３１９７０９号公報
【発明の概要】
【発明が解決しようとする課題】
【０００４】
特許文献１に記載されたエレベーターは、テールコードを介して発生する電圧降下を抑制するために、制御盤側の受電電圧を昇圧トランスで高電圧化し、テールコードの使用線心数を低減させている。しかし、乗りかご側には、共通化した電源から複数の負荷で使用する各種電源を生成するための降圧トランスが必要となり、乗りかご側に、降圧トランスを設置するためのスペースや降圧するための回路が必要となる。
【０００５】
上記の状況から、より簡単な構成でテールコード（給電線）の線心数を削減する手法が要望されていた。
【課題を解決するための手段】
【０００６】
本発明の一態様のエレベーターは、複数の電気機器が配置された乗りかごと、複数の線心から構成される給電線を用いて複数の電気機器に電力を供給する制御装置と、を備えたエレベーターであって、制御装置は、起動時に突入電流が発生する高負荷の電気機器を先に起動し、負荷電流が定常状態に移行した後に、突入電流が発生しない低負荷の電気機器を起動する。
【発明の効果】
【０００７】
本発明の少なくとも一態様によれば、簡単な構成で給電線の線心数を削減して乗りかご内の電気機器へ電力を供給することができる。
上記した以外の課題、構成及び効果は、以下の実施形態の説明により明らかにされる。
【図面の簡単な説明】
【０００８】
【図１】本発明の第１の実施形態に係るエレベーターの全体構成例を示す説明図である。
【図２】本発明の第１の実施形態に係るエレベーターの電気系統の概略を示す説明図である。
【図３】本発明の第１の実施形態に係るエレベーターの制御装置の内部構成例示すブロック図である。
【図４】本発明の第１の実施形態に係る電気機器テーブルの例を示す説明図である。
【図５】本発明の各実施形態に係る制御装置が備えるコンピューターのハードウェア構成例を示すブロック図である。
【図６】本発明の第１の実施形態に係るエレベーターの起動時における電力供給制御処理手法の手順例を示すフローチャートである。
【図７】本発明の第１の実施形態に係るエレベーターの乗りかご内の電気機器への電力供給制御処理手法を示す電流電圧波形図である。図７Ａは乗りかご内の高負荷電気機器に電力を供給したときの電流電圧波形を示し、図７Ｂは乗りかご内の低負荷電気機器に電力を供給したときの電流電圧波形を示す。
【図８】本発明の第２の実施形態に係るエレベーターの電気系統の概略を示す説明図である。
【図９】本発明の第２の実施形態に係るエレベーターの起動時における電力供給制御処理手法の手順例を示すフローチャートである。
【図１０】本発明の第２の実施形態に係るエレベーターの上かご及び下かご内の電気機器への電力供給制御処理手法を示す電流電圧波形図である。図１０Ａは上かごの高負荷電気機器に電力を供給したときの電流電圧波形、図１０Ｂは上かごの低負荷電気機器に電力を供給したときの電流電圧波形、図１０Ｃは下かごの高負荷電気機器に電力を供給したときの電流電圧波形、図１０Ｄは下かごの低負荷電気機器に電力を供給したときの電流電圧波形をそれぞれ示す。
【図１１】本発明の第３の実施形態に係るエレベーターの電気系統の概略を示す説明図である。
【図１２】本発明の第３の実施形態に係るエレベーターの起動時における電力供給制御処理手法の手順例を示すフローチャートである。
【図１３】本発明の第３の実施形態に係るエレベーターの乗りかご内の電気機器への電力供給制御処理手法を示す電流電圧波形図である。図１３Ａは乗りかご内の第１の高負荷電気機器に電力を供給したときの電流電圧波形、図１３Ｂは乗りかご内の第２の高負荷電気機器に電力を供給したときの電流電圧波形、図１３Ｃは乗りかご内の第１の低負荷電気機器に電力を供給したときの電流電圧波形、図１３Ｄは乗りかご内の第２の低負荷電気機器に電力を供給したときの電流電圧波形をそれぞれ示す。
【発明を実施するための形態】
【０００９】
以下、本発明を実施するための形態の例について、添付図面を参照しながら説明する。添付図面において実質的に同一の機能又は構成を有する構成要素については、同一の符号を付して重複する説明を省略する。なお、添付図面は本発明の原理に則った具体的な実施形態と実装例を示しているが、これらは本発明の理解のためのものであり、決して本発明を限定的に解釈するために用いられるものではない。
【００１０】
＜１．第１の実施形態＞
［エレベーターの全体構成］
図１は、第１の実施形態に係るエレベーターの全体構成例を示す説明図である。
なお、図１はエレベーターが設置される建物の階床のうち模式的に最下階と最上階のみを示しているが、本実施形態は２階床以上ある建物に対して設置された、テールコード（給電線）を備えるエレベーターに対して適用可能である。
【００１１】
図１に示すエレベーター１００は、異常の有無を監視する監視装置１０１と、この監視装置１０１と通信回線（図示せず）を介して接続され、エレベーター１００の状態を遠隔的に監視する監視センタ（図示せず）とを備えている。
【００１２】
エレベーター１００は、建物に形成された昇降路１と、建物の昇降路１内を昇降する乗りかご２と、一端が乗りかご２に取り付けられた主ロープ３と、この主ロープ３の他端が取り付けられ、昇降路１内に吊り下げられた釣合い錘４とを備えている。また、エレベーター１００は、昇降路１の上方に位置する機械室５に設けられ、乗りかご２及び釣合い錘４を駆動する巻上機６と、この巻上機６の近傍に配置されたそらせ車７とを備えている。
【００１３】
さらに、エレベーター１００は、乗り場８側に開閉可能に設けられた、乗りかご２のドア２ｄ（以下「かごドア」とも称す）と連動して昇降口を開閉する乗り場ドア８Ａと、乗り場８側の昇降口近傍の壁に設けられ、乗りかご２の乗り場呼びの登録を行う乗り場釦（図示せず）とを備えている。乗り場呼びを行えるものであれば乗り場釦に限られず、例えば行先階登録装置でもよい。
【００１４】
また、エレベーター１００は、機械室５に設けられ、エレベーター１００全体の動作を制御する制御装置９と、乗りかご２の天井の上に設置されて常用電源（三相交流電源１０に相当）の停電中に使用される電力を蓄積するリチウム電池やキャパシタ等の非常用の蓄電装置（バッテリー）（図示略）とを備えている。
【００１５】
巻上機６は、主ロープ３が巻き掛けられた駆動シーブ６Ａと、この駆動シーブ６Ａを回転させるモーター６Ｂと、駆動シーブ６Ａの回転を制動するブレーキ装置（図示せず）とを有し、これらのモーター６Ｂ及びブレーキ装置は、制御装置９に電気的に接続されている。したがって、巻上機６は、制御装置９からの制御指令を受けてモーター６Ｂ及びブレーキ装置を作動させることにより、乗りかご２を釣合い錘４に対して相対的に昇降させるようにしている。
【００１６】
また、巻上機６のモーター６Ｂの出力軸には、モーター６Ｂの駆動に応じてパルス信号を出力するエンコーダ（図示略）が取付けられており、このエンコーダは制御装置９に通信ケーブル等（図示せず）を介して通信接続されている。そして、エンコーダ６Ｃから出力されたパルス信号は制御装置９へ送信され、乗りかご２の位置を取得するための演算に用いられる。
【００１７】
制御装置９は、乗りかご２の昇降動作を制御したり、乗りかご２への電力供給を制御したり、乗りかご２内の操作画面の表示を制御するための各種の演算を行ったりする。本実施形態の特徴をなす制御装置９の具体的な機能を示す構成については、後で詳細に述べる。
【００１８】
この制御装置９は、昇降路１内に配設された可撓性を有するテールコード１４、中継器１５、及び通信ケーブル１６を介して乗りかご２内の電気機器に電気的に接続されている。また、制御装置９は、常用電源の停電が発生した際に、エレベーター１００の通常運転時よりも乗りかご２を低速で走行させ、最寄階に停止させてから乗り場ドア８Ａ及びかごドア２ｄを開放する地震管制運転を行うようにしている。
【００１９】
テールコード１４は、一端が乗りかご２の下部に接続され、他端が中継器１５に接続されており、昇降路１内においてＵ字状に垂下されている。中継器１５は、昇降路１の壁面に固定されており、乗りかご２の各電気機器と制御装置９との間で行われる通信を中継する装置である。
【００２０】
乗りかご２には、かごドア２ｄの上方にかごドア２ｄの開閉状態に応じた検知信号を出力するドアセンサー２６が設置されている。また、乗りかご２には、室内の温度を外気より低くするクーラー１１と照明器具１２が設置されている。また、乗りかご２の天井裏等に配電盤が設けられており、配電盤には電磁接触器１３−１，１３−２が配置されている。電磁接触器１３−１，１３−２は補助接点を備え、クーラー１１及び照明器具１２への電源の投入及び遮断に利用される。乗りかご２に設置される電気機器は、クーラー１１及び照明器具１２に限られないことは勿論である。
【００２１】
クーラー１１や照明器具１２等の電気機器への電力供給は、電磁接触器１３−１，１３−２のコイルへの電力供給を制御することにより行われる。また、乗りかご２の床下には人感センサー２７が配置されている。本実施形態では、人感センサー２７として、荷重センサーを用いている。また人感センサー２７は荷重センサーに限るものではなく、監視カメラを用いることもできる。
【００２２】
監視装置１０１は、制御装置９と同様に、エレベーター１００の異常の有無を監視する。この監視装置１０１は、制御装置９に電気的に接続されており、制御装置９から出力される制御指令に基づいて、エレベーター１００に停電や故障等の異常が発生したかどうかを判断する。例えば、制御装置９から地震管制運転の制御指令が巻上機６へ出力されると、監視装置１０１は、地震管制運転の制御指令を検出し、エレベーター１００に異常が発生したと判断する。そして、監視装置１０１は、エレベーター１００に異常が発生した旨の異常通報を監視センタへ行う。
【００２３】
［エレベーターの電気系統］
図２は、エレベーター１００の電気系統の概略を示す説明図である。
図２に示すように三相交流電源１０（図２では単相交流電源として表現されている）には、クーラー１１などの起動時に突入電流が発生する高負荷の電気機器（以下「高負荷電気機器」とも称す）と、照明器具１２などの突入電流が発生しない低負荷の電気機器（以下「低負荷電気機器」とも称す）が同じテールコード１４を介して接続されている。なお、突入電流が発生したとしてもピーク電流値が比較的小さく回路全体に及ぼす影響が少ない場合には、低負荷機器に区分してもよい。
【００２４】
ここで、テールコード１４を構成する線心１４ａ，１４ｂは、起動時に突入電流が発生するクーラー１１への電力供給を行うものとしての線心数を有している。即ち、線心１４ａ，１４ｂは、複数本の線心の集合体ともいえる。本実施形態では、低負荷である照明器具１２への電力供給は、起動タイミングをクーラー１１から遅らせて同じテールコード１４を共用して行うようにしている。このため、本実施形態は、突入電流が発生するクーラー１１のためのテールコード（線心）と、低負荷である照明器具１２のためのテールコード（線心）を個々に備える場合よりも、テールコード１４全体としての必要な線心数を低減することができる。
【００２５】
テールコード１４とクーラー１１を接続する伝送路上には、電磁接触器１３−１の補助接点（第１スイッチの例）ＳＷ１が接続されている。また、テールコード１４と照明器具１２を接続する伝送路上には、電磁接触器１３−２の補助接点（第２スイッチの例）ＳＷ２が接続されている。以下、この補助接を「スイッチ」と称する。クーラー１１や照明器具１２等の電気機器への電力供給は、電磁接触器１３−１，１３−２のコイルへの電力供給を制御することにより行われる。スイッチＳＷ１をオンすることにより、クーラー１１に電源が投入（電源オン）され、スイッチＳＷ１をオフすることにより、クーラー１１への電源が遮断（電源オフ）される。また、スイッチＳＷ２をオンすることにより、照明器具１２に電源が投入（電源オン）され、スイッチＳＷ２をオフすることにより、照明器具１２への電源が遮断（電源オフ）される。
【００２６】
［制御装置の内部構成］
図３は、制御装置９の内部構成例を示すブロック図である。
図３に示すように制御装置９は、呼び検知部２１、ドア状態判定部２２、タイミング制御部２３、電源投入部２４、及び電気機器テーブル２５を備える。
【００２７】
呼び検知部２１は、乗り場釦からのホール呼び信号を検知し、ホール呼びがあったことをタイミング制御部２３へ通知する。なお、複数の乗りかごの運行を管理する群管理装置（図示略）を備えた群管理エレベーターにおいて、ホールに設置された行先階登録装置（図示略）の行先階登録信号に基づいて、群管理装置が制御装置９に呼び信号を送信してもよい。
【００２８】
ドア状態判定部２２は、かごドア２ｄのドアセンサー２６から出力されるかごドア２ｄの開閉状態に応じた検知信号を受信し、この検知信号からかごドア２ｄの開状態及び閉状態を判定する。ドア状態判定部２２は、このかごドア２ｄの状態についての判定結果を、タイミング制御部２３に送る。
【００２９】
タイミング制御部２３は、電気機器テーブル２５を参照し、起動時に突入電流が発生する高負荷の電気機器（例えばクーラー１１）を先に起動し、負荷電流が定常状態に移行した後に、突入電流が発生しない低負荷の電気機器（例えば照明器具１２）を起動するタイミングを決定する。電気機器テーブル２５には、乗りかご２に設置された複数の電気機器と負荷の大きさ（突入電流の有無）とが対応づけて登録されている。そして、タイミング制御部２３は、各電気機器に電源を投入する又は各電気機器の電源を遮断するためのタイミング信号を、電源投入部２４に送信する。このように、タイミング制御部２３が、上述したように電気機器テーブル２５を参照して本発明のルールに則り各電気機器の起動タイミングを決定する。なお、予め電気機器テーブル２５に各電気機器の起動順番を定義した起動順番情報（図示略）をメモリに記録しておき、タイミング制御部２３が、その起動順番情報に従い各電気機器の起動タイミングを設定して電源投入部２４にタイミング信号を送信してもよい。
【００３０】
電源投入部２４は、タイミング制御部２３から各電気機器に電源を投入するためのタイミング信号を受信し、このタイミング信号に基づいて、該当電気機器に対応するスイッチを持つ電磁遮断器のコイルを通電する。該当電気機器に対応するスイッチがオンし、該当電気機器に電源が投入される。
【００３１】
［電気機器テーブル］
図４は、第１の実施形態に係る電気機器テーブルの例を示す説明図である。
図４に示す電気機器テーブル２５は、「電気機器名」、「負荷（突入電流の有無）」、「スイッチ」の項目を有する。「電気機器名」は、乗りかご２に設置された電気機器の名称である。電気機器の名称に代えて、電気機器を一意に識別するための識別情報でもよい。「負荷」は、対象電気機器の起動時に突入電流を発生するものであれば高負荷に区分され、起動時に突入電流を発生しないものであれば低負荷に区分される。「スイッチ」は、対象電気機器に電力を供給するためのスイッチの名称若しくは識別情報であり、本実施形態においてこのスイッチは、電磁接触器１３−１，１３−２の接点に相当する。電気機器テーブル２５には、複数の電気機器と突入電流の有無とを対応づけて登録されていればよい。電気機器とスイッチの対応づけは、別テーブルに登録してもよい。
【００３２】
［ハードウェア構成］
図５は、制御装置９が備えるコンピューターのハードウェア構成例を示すブロック図である。
【００３３】
ここでは、上述したエレベーター１００に示された制御装置９が備えるコンピューター３０のハードウェア構成例を説明する。なお、制御装置９の機能、使用目的に合わせてコンピューター３０の各部は取捨選択される。例えば、表示部３５及び操作部３６を削除してもよい。
【００３４】
コンピューター３０は、バス３４にそれぞれ接続されたＣＰＵ（Central Processing Unit）３１、ＲＯＭ（Read Only Memory）３２、ＲＡＭ（Random Access Memory）３３を備える。さらに、コンピューター３０は、表示部３５、操作部３６、不揮発性ストレージ３７、ネットワークインターフェース３８を備える。
【００３５】
ＣＰＵ３１は、制御部の一例であり、本実施形態に係る各機能を実現するソフトウェアのプログラムコードをＲＯＭ３２から読み出して実行する。これらのハードウェアとソフトウェアが協働することで制御装置９としての機能が実現される。なお、コンピューター３０は、ＣＰＵ３１の代わりに、ＭＰＵ（Micro-Processing Unit）等の処理装置を備えるようにしてもよい。ＲＡＭ３３には、演算処理の途中に発生した変数やパラメータ等が一時的に書き込まれる。
【００３６】
表示部３５は、例えば、液晶ディスプレイモニタであり、コンピューター３０で行われる処理の結果等を表示する。操作部３６には、例えば、キーボード、マウス又はタッチパネル等が用いられ、ユーザーが所定の操作入力、指示を行うことが可能である。
【００３７】
不揮発性ストレージ３７としては、例えば、ＨＤＤ（Hard Disk Drive）、ＳＳＤ（Solid State Drive）、フレキシブルディスク、光ディスク、光磁気ディスク、ＣＤ−ＲＯＭ、ＣＤ−Ｒ、磁気テープ、不揮発性のメモリカード等が用いられる。この不揮発性ストレージ３７には、ＯＳ（Operating System）や各種のパラメータの他に、コンピューター３０を機能させるためのプログラムが記録されていてもよい。例えば不揮発性ストレージ３７には、電気機器テーブル２５等が記憶されている。
【００３８】
ネットワークインターフェース３８には、例えば、ＮＩＣ（Network Interface Card）等が用いられ、ＬＡＮ等のネットワークＮを介して各装置間で各種のデータを送受信することが可能である。
【００３９】
［電力供給制御処理手法の手順］
図６は、エレベーター１００の起動時における乗りかご２内の電気機器への電力供給制御処理手法の手順例を示すフローチャートである。
【００４０】
図６に示すように、エレベーター１００は、ホール呼びが発生する前は待機状態であり（Ｓ１）、かごドア２ｄが閉じられ、乗りかご２に設置されたクーラー１１及び照明器具１２の電源は切られた状態になっている。この待機状態で、制御装置９の呼び検知部２１は、乗り場釦からのホール呼びがあるか否かを判定する（Ｓ２）。ホール呼びがない場合には（Ｓ２のＮＯ）、呼び検知部２１はステップＳ１の処理に移行して待機状態を継続する。
【００４１】
一方、ホール呼びがある場合には（Ｓ２のＹＥＳ）、タイミング制御部２３は、電気機器テーブル２５を参照し、第一段階として、クーラー１１を起動させるためのタイミング信号を電源投入部２４に送りスイッチＳＷ１をオンさせる。それにより、起動時に突入電流が発生するクーラー１１に電力が供給され、クーラー１１が起動する（Ｓ３）。
【００４２】
次いで、タイミング制御部２３は、第二段階として、照明器具１２を起動させるためのタイミング信号を電源投入部２４に送りスイッチＳＷ２をオンさせる。それにより、起動時に突入電流が発生しない照明器具１２に電力が供給されて照明器具１２が起動する（Ｓ４）。このときタイミング制御部２３は、クーラー１１が起動して定常状態に移行してから照明器具１２が起動するように、照明器具１２の起動タイミングを制御する。即ち、タイミング制御部２３は、クーラー１１が起動してから設定時間が経過後に照明器具１２を起動させる。
【００４３】
そして、制御装置９は、乗りかご２をホール呼びが行われた階（呼び階）に移動させ、かごドア２ｄの開放を行い（Ｓ５）、その後、エレベーター１００の通常サービスへ移行する（Ｓ６）。ステップＳ３，Ｓ４の各電気機器への電源オン処理と並行して、乗りかご２の移動を行ってもよい。
【００４４】
通常サービスへ移行後にホール呼びがない状況において、タイミング制御部２３は、ドア状態判定部２２による判定結果からかごドア２ｄが閉状態であるか否かを判定する（Ｓ７）。かごドア２ｄが閉じると、ドアセンサー２６からかごドア閉信号が出力されるため、ドア状態判定部２２はかごドア２ｄが閉状態か否かを判定できる。タイミング制御部２３は、かごドア２ｄが閉状態ではない場合には（Ｓ７のＮＯ）、かごドア２ｄの開閉状態の監視を継続する。
【００４５】
逆に、かごドア２ｄが閉状態である場合には（Ｓ７のＹＥＳ）、タイミング制御部２３は、人感センサー２７の検知結果に基づいて、乗りかご２内に利用客がいるか否かを判定する（Ｓ８）。例えば、人感センサー２７が荷重センサーである場合には、タイミング制御部２３は、荷重センサーの測定結果から、現在乗りかご２の床にかかる荷重が積載荷重の何％であるかを計算する。測定した荷重が積載荷重の０％ではない（乗りかご２内に乗客がいる）場合には（Ｓ８のＮＯ）、タイミング制御部２３は、ステップＳ６の処理に移行して通常サービスを継続する。
【００４６】
他方、測定した荷重が積載荷重の０％である（乗りかご２内に乗客がいない）場合には（Ｓ８のＹＥＳ）、タイミング制御部２３は、スイッチＳＷ１をオフしてクーラー１１の電源をオフする（Ｓ９）とともに、スイッチＳＷ２をオフして照明器具１２の電源をオフする（Ｓ１０）。ステップＳ９，Ｓ１０の処理が終了後、本フローチャートの処理を終了する。
【００４７】
［電流電圧波形］
次に、エレベーター１００の起動時における乗りかご２内の電気機器への電力供給制御処理手法について図７を参照して説明する。
【００４８】
図７は、エレベーター１００の起動時（図６のＳ３，Ｓ４）における乗りかご２内の電気機器への電力供給制御処理手法を示す電流電圧波形図である。図７Ａは乗りかご２内の高負荷電気機器（本例ではクーラー１１）に電力を供給したときの電流電圧波形を示し、図７Ｂは低負荷電気機器（本例では照明器具１２）に電力を供給したときの電流電圧波形を示す。
【００４９】
乗りかご２内の電気機器への電力供給の手順は、まず、第一段階で、起動時に突入電流Ｉ１が発生するクーラー１１を起動させて電力供給を行う（図７Ａ）。次いで、第二段階で、低負荷である照明器具１２を起動させて電力供給を行う（図７Ｂ）。
【００５０】
図７Ａ（ａ１）に示すように、スイッチＳＷ１をオンして突入電流Ｉ１が発生するクーラー１１を起動させて電力供給を行うと、第一段階から比較的大きな突入電流Ｉ１がテールコード１４に流れ始める。そして、設定時間が経過後、負荷電流は安定した定常電流となり、図７Ａ（ａ２）に示すように、およそ一定の電圧降下が生じる。
【００５１】
次いで、図７Ｂ（ｂ１）に示すように、突入電流Ｉ１が安定した定常電流となった第二段階で、スイッチＳＷ２をオンして低負荷である照明器具１２を起動させて電力供給を行う。このとき、クーラー１１の場合のような突入電流が流れない。そのため、図７Ｂ（ｂ２）に示すように、クーラー１１及び照明器具１２の運転が共に継続され、テールコード１４にこれらの電流が重畳された負荷電流が供給されても、乗りかご２側への供給電圧が目標電圧Ｖｔを下回ることがなく比較的穏やかな電圧降下となる。目標電圧Ｖｔは、テールコード１４の複数の線心を共用する複数の電気機器の最低動作電圧であり、複数の電気機器の定格電圧を合計した値又はそれよりも大きな値である。
【００５２】
仮に、クーラー１１の起動時の突入電流Ｉ１に対応するために必要な線心数が１０本、定常状態において必要な線心数が５本、照明器具１２のために必要な線心数が３本であるとする。クーラー１１と照明器具１２を同時に起動すると、１５本の線心が必要になるが、クーラー１１が定常状態に移行した後に照明器具１２を起動した場合には、使用する線心が８本で済む。
【００５３】
上述した本実施形態によれば、同一電源を共用する乗りかご２内の電気機器（負荷）を、クーラー１１のような突入電流が発生する高負荷電気機器と、照明器具１２のような低負荷電気機器に区分する。そして、まず、高負荷電気機器（クーラー１１）を起動させ、テールコード１４（１４ａ，１４ｂ）を通して電力供給を行った後、起動タイミングをずらして低負荷電気機器（照明器具１２）を起動させて同じテールコード１４を通して電力供給を行う。このため、突入電流が発生しない低負荷電気機器用のテールコード１４の線心を、起動時に突入電流が発生する高負荷電気機器用の線心と共用することができる。それにより、テールコード１４全体として実質的に低負荷電気機器用の線心数を削減することができる。
【００５４】
したがって第１の実施形態によれば、突入電流が発生する高負荷電気機器を低負荷電気機器よりも先に起動させるという簡単な構成で、テールコード１４の線心数削減によるコスト低減及び省エネルギー効果を期待することができる。またテールコード１４の重量低減による付随機器（図１の釣合い錘４、巻上機６等）の小型化と、コスト低減を期待することができる。
【００５５】
＜２．第２の実施形態＞
第２の実施形態は、本発明を、同一の昇降路において上下に連結した２つの乗りかごが設けられたダブルデッキタイプのエレベーターに適用した例である。
【００５６】
［エレベーターの電気系統］
図８は、第２の実施形態に係るダブルデッキタイプのエレベーター１００の電気系統の概略を示す説明図である。図８において上かご２Ａと下かご２Ｂの構成は、乗りかご２の構成と同様である。また、制御装置９の内部構成は、図３の内部構成と同様である。
【００５７】
図８に示すように三相交流電源１０には、上かご２Ａにおけるクーラー（以下「上かごクーラー」と称す）１１Ａなどの起動時に突入電流が発生する高負荷電気機器と、上かご２Ａにおける照明器具（以下「上かご照明器具」と称す）１２Ａなどの突入電流が発生しない低負荷電気機器が同じテールコード１４を介して接続されている。なお、以下では、上かご２Ａの高負荷電気機器を「上かご高負荷電気機器」と称し、及び、上かご２Ａの低負荷電気機器を「上かご低負荷電気機器」と称することがある。
【００５８】
また同じテールコード１４には、下かご２Ｂにおけるクーラー（以下「下かごクーラー」と称す）１１Ｂなどの、起動時に突入電流が発生する高負荷電気機器と、下かご２Ｂにおける照明器具（以下「下かご照明器具」と称す）１２Ｂなどの低負荷電気機器が接続されている。なお、以下では、下かご２Ｂの高負荷電気機器を「下かご高負荷電気機器」と称し、及び、下かご２Ｂの低負荷電気機器を「下かご低負荷電気機器」と称することがある。
【００５９】
ここで、テールコード１４を構成する線心１４ａ，１４ｂは、起動時に突入電流が発生する上かごクーラー１１Ａと下かごクーラー１１Ｂへの電力供給を、起動タイミングをずらして行うものとしての線心数を有している。またテールコード１４は、上かご照明器具１２Ａ又は下かご照明器具１２Ｂへの電力供給を、突入電流が発生する上かごクーラー１１Ａ又は上かごクーラー１１Ｂと起動タイミングをずらして行うものとしての線心数を有している。
【００６０】
テールコード１４と上かごクーラー１１Ａを接続する伝送路上には、電磁接触器の補助接点（第１スイッチ）ＳＷ１が接続されている。また、テールコード１４と上かご照明器具１２Ａを接続する伝送路上には、電磁接触器の補助接点（第２スイッチ）ＳＷ２が接続されている。同様に、テールコード１４と下かごクーラー１１Ｂを接続する伝送路上には、電磁接触器の補助接点（第３スイッチ）ＳＷ３が接続されている。また、テールコード１４と下かご照明器具１２Ｂを接続する伝送路上には、電磁接触器の補助接点（第４スイッチ）ＳＷ４が接続されている。
【００６１】
制御装置９は、スイッチＳＷ１〜スイッチＳＷ４を適宜オン・オフすることにより、上かごクーラー１１Ａ、上かご照明器具１２Ａ、下かごクーラー１１Ｂ、下かご照明器具１２Ｂへの電源を投入（電源オン）したり、電源を遮断（電源オフ）する。スイッチＳＷ１〜スイッチＳＷ４の各々に対応して４つの電磁接触器が、乗りかご２の天井裏等に設置されている。
【００６２】
［電力供給制御処理手法の手順］
図９は、エレベーター１００Ａの起動時における上かご及び下かご内の電気機器への電力供給制御処理手法の手順例を示すフローチャートである。
【００６３】
図９において、エレベーター１００Ａは、ホール呼びが発生する前は待機状態である（Ｓ２１）。上かご２Ａ及び下かご２Ｂのかごドア２ｄはそれぞれ閉じられ、上かご２Ａ及び下かご２Ｂに設置された上かごクーラー１１Ａ、上かご照明器具１２Ｂ、上かご照明器具１２Ａ、下かご照明器具１２Ｂの電源は切られた状態となっている。この待機状態で、制御装置９の呼び検知部２１により、乗り場釦からのホール呼びが監視され（Ｓ２２）、ホール呼びが検出されない場合には（Ｓ２２のＮＯ）、呼び検知部２１はステップＳ２１の処理に移行して待機状態を継続する。
【００６４】
この待機状態でホール呼びが検出された場合には（Ｓ２２のＹＥＳ）、上かご２Ａに対するホール呼び、及び／又は、下かご２Ｂに対するホール呼びかが判定される（Ｓ２３，Ｓ２４）。その結果、上かご２Ａだけに対するホール呼びであれば（Ｓ２３のＹＥＳかつＳ２４のＮＯ）、第一段階として、タイミング制御部２３は、スイッチＳＷ１をオンして突入電流が発生する上かごクーラー１１Ａを起動させる（Ｓ２５）。次いで、第二段階として、タイミング制御部２３は、スイッチＳＷ２をオンして低負荷である上かご照明器具１２Ａを起動させる（Ｓ２６）。
【００６５】
一方、下かご２Ｂにだけに対するホール呼びであれば（Ｓ２３のＮＯ）、第一段階として、タイミング制御部２３は、スイッチＳＷ３をオンして突入電流が発生する下かごクーラー１１Ｂを起動させる（Ｓ２７）。次いで、第二段階として、タイミング制御部２３は、スイッチＳＷ４をオンして低負荷である下かご照明器具１２Ｂを起動させる（Ｓ２８）。
【００６６】
しかし、上かご２Ａ及び下かご２Ｂの両方に対するホール呼びであれば（Ｓ２３のＹＥＳかつＳ２４のＹＥＳ）、次のような一連の起動処理の手順を採る。タイミング制御部２３は、第一段階として、スイッチＳＷ１をオンして突入電流が発生する上かごクーラー１１Ａの起動を行い（Ｓ２５）、次いで、第二段階として、上かごクーラー１１Ａが定常状態に移行した後にスイッチＳＷ２をオンして低負荷である上かご照明器具１２Ａの起動を行う（Ｓ２６）。さらに、タイミング制御部２３は、第三段階として、スイッチＳＷ３をオンして突入電流が発生する下かごクーラー１１Ｂの起動を行い（Ｓ２７）、次いで、下かごクーラー１１Ｂが定常状態に移行した後に第四段階として、スイッチＳＷ４をオンして低負荷である下かご照明器具１２Ｂの起動を行う（Ｓ２８）。
【００６７】
そして、制御装置９は、乗りかご２Ａ，２Ｂをホール呼びが行われた階（呼び階）に移動させ、ホール呼びに対応する乗りかご２Ａ及び／又は乗りかご２Ｂのかごドア２ｄの開放を行い（Ｓ２９，Ｓ３０）、その後、エレベーター１００Ａの通常サービスへ移行する（Ｓ３１）。ステップＳ２９，Ｓ３０の各電気機器への電源オン処理と並行して、乗りかご２Ａ，２Ｂの移動を行ってもよい。
【００６８】
通常サービスへ移行後にホール呼びがない状況において、タイミング制御部２３は、下かご２Ｂに対するドア状態判定部２２の判定結果に基づいてかごドア２ｄの開閉状態を監視する（Ｓ３２）とともに、人感センサー２７（本例では荷重センサー）により下かご２Ｂ内の乗客の有無を監視する（Ｓ３３）。ここで、下かご２Ｂのかごドア２ｄが閉状態であり（Ｓ３２のＹＥＳ）、下かご２Ｂに乗客がいない場合には（Ｓ３３のＹＥＳ）、タイミング制御部２３は、スイッチＳＷ３をオフして下かごクーラー１１Ｂの電源をオフする（Ｓ３６）とともに、スイッチＳＷ４をオフして下かご照明器具１２Ｂの電源をオフする（Ｓ３７）。
【００６９】
上かご２Ａについても同様に、通常サービスへ移行後にホール呼びがない状況において、タイミング制御部２３は、上かご２Ａに対するドア状態判定部２２の判定結果に基づいてかごドア２ｄの開閉状態を監視する（Ｓ３４）とともに、人感センサー２７により上かご２Ａ内の乗客の有無を監視する（Ｓ３５）。ここで、上かご２Ａのかごドア２ｄが閉状態であり（Ｓ３４のＹＥＳ）、上かご２Ａに乗客がいない場合には（Ｓ３５のＹＥＳ）、タイミング制御部２３は、スイッチＳＷ１をオフして上かごクーラー１１Ａの電源をオフする（Ｓ３８）とともに、スイッチＳＷ２をオフして上かご照明器具１２Ａの電源をオフする（Ｓ３９）。
【００７０】
タイミング制御部２３は、下かご２Ｂのかごドア２ｄが閉状態ではない場合には（Ｓ３２のＮＯ）、かごドア２ｄの開閉状態の監視を継続する。同様に、タイミング制御部２３は、上かご２Ａのかごドア２ｄが閉状態ではない場合には（Ｓ３４のＮＯ）、かごドア２ｄの開閉状態の監視を継続する。
【００７１】
また、タイミング制御部２３は、下かご２Ｂ内に乗客がいる（本例では測定した荷重が積載荷重の０％ではない）場合には（Ｓ３３のＮＯ）、ステップＳ３１の処理に移行して通常サービスを継続する。同様に、タイミング制御部２３は、上かご２Ａ内に乗客がいる場合には（Ｓ３５のＮＯ）、ステップＳ３１の処理に移行して通常サービスを継続する。
【００７２】
タイミング制御部２３は、ステップＳ３６及びステップＳ３７の処理が終了後、又は、ステップＳ３８及びステップＳ３９の処理が終了後、本フローチャートの処理を終了する。
【００７３】
突入電流が発生する上かごクーラー１１Ａの起動を含む上かご２Ａ側の電気機器のみの起動であれば、ステップ２５，Ｓ２６において第１の実施形態の場合と同様に、電力供給制御処理を行う。また、突入電流が発生する下かごクーラー１１Ｂの起動を含む下かご２Ｂ側の電気機器のみの起動であれば、ステップ２７，Ｓ２８において第１の実施形態の場合と同様に、電力供給制御処理を行う。しかし、ここでは上かご２Ａ側と下かご２Ｂ側の電気機器が共に起動される場合について説明する。
【００７４】
［電流電圧波形］
次に、エレベーター１００Ａの起動時における上かご２Ａ及び下かご２Ｂ内の電気機器への電力供給制御処理手法について図１０を参照して説明する。
【００７５】
図１０は、エレベーター１００Ａの起動時（図９のＳ２５〜Ｓ２８）における乗りかご２内の電気機器への電力供給制御処理手法を示す電流電圧波形図である。図１０Ａは上かごの高負荷電気機器（上かごクーラー１１Ａ）に電力を供給したときの電流電圧波形、図１０Ｂは上かごの低負荷電気機器（上かご照明器具１２Ａ）に電力を供給したときの電流電圧波形を示す。図１０Ｃは下かごの高負荷電気機器（下かごクーラー１１Ｂ）に電力を供給したときの電流電圧波形、図１０Ｄは下かごの低負荷電気機器（下かご照明器具１２Ｂ）に電力を供給したときの電流電圧波形をそれぞれ示す。
【００７６】
上かご２Ａ及び下かご２Ｂ内の各電気機器への電力供給の手順は、まず、第一段階で、起動時に突入電流Ｉ１が発生する上かごクーラー１１Ａを起動させて電力供給を行う。図１０Ａ（ａ１）に示すように、スイッチＳＷ１をオンして突入電流Ｉ１が発生する上かごクーラー１１Ａを起動させて電力供給を行うと、第一段階から比較的大きな突入電流Ｉ１が流れ始め、その後、負荷電流は安定した定常電流となり、図１０Ａ（ａ２）に示すように、およそ一定の電圧降下が生じる。
【００７７】
次いで、図１０Ｂ（ｂ１）に示すように、突入電流Ｉ１が安定した定常電流となった第二段階で、スイッチＳＷ２をオンして低負荷である上かご照明器具１２Ａを起動させて電力供給を行う。このとき、上かごクーラー１１Ａの場合のような突入電流が流れない。そのため、図１０Ｂ（ｂ２）に示すように、上かごクーラー１１Ａ及び上かご照明器具１２Ａの運転が共に継続され、テールコード１４にこれらの電流が重畳された負荷電流が供給されても、乗りかご側への供給電圧が目標電圧Ｖｔを下回ることがなく比較的穏やかな電圧降下となる。
【００７８】
このように同一電源を共用する上かご２Ａ内の電気機器（負荷）を、上かごクーラー１１Ａのような突入電流が発生する高負荷電気機器と、照明器具１２Ａのような低負荷電気機器に区分する。そして、まず高負荷電気機器（上かごクーラー１１Ａ）を起動させ、テールコード１４（１４ａ，１４ｂ）を通して電力供給を行った後、起動タイミングをずらして低負荷電気機器（上かご照明器具１２Ａ）を起動させて同じテールコード１４を通して電力供給を行う。このため、テールコード１４を共用し、テールコード１４全体の線心数から実質的に低負荷電気機器用の線心数を削減することができる。
【００７９】
次いで、第三段階で、スイッチＳＷ３をオンして突入電流Ｉ２が発生する下かごクーラー１１Ｂを起動させて電力供給を行う。図１０Ｃ（ｃ１）に示すように、突入電流Ｉ２が発生する下かごクーラー１１Ｂを起動させて電力供給を行うと、第三段階において比較的大きな突入電流Ｉ２が流れ始め、その後、負荷電流は安定した定常電流となり、図１０Ｃ（ｃ２）に示すように、およそ一定の電圧降下が生じる。
【００８０】
次いで、図１０Ｄ（ｄ１）に示すように、突入電流Ｉ２が安定した定常電流となった第四段階で、スイッチＳＷ４をオンして低負荷である下かご照明器具１２Ｂを起動させて電力供給を行う。このとき、下かごクーラー１１Ｂの場合のような突入電流が流れない。そのため、図１０Ｄ（ｄ２）に示すように、上かごクーラー１１Ａ及び上かご照明器具１２Ａ、並びに、下かごクーラー１１Ｂ及び下かご照明器具１２Ｂの運転が共に継続される。テールコード１４にこれらの電流が重畳された負荷電流が供給されても、乗りかご側への供給電圧が目標電圧Ｖｔを下回ることがなく比較的穏やかな電圧降下となる。
【００８１】
あるいは、スイッチＳＷ１とスイッチＳＷ２の間、及び、スイッチＳＷ３とスイッチＳＷ４の間を、高負荷電気機器（上かごクーラー１１Ａ及び下かごクーラー１１Ｂ）が確実に定常状態となるように、長めの時間に設定してもよい。
【００８２】
このようにダブルデッキタイプのエレベーター１００Ａにおいても、同一電源を共用する上かご２Ａ，２Ｂ内の電気機器（負荷）を、クーラーのような突入電流が発生する上かご高負荷電気機器及び下かご高負荷電気機器と、照明器具のような上かご低負荷電気機器と下かご低負荷電気機器に区分する。そして、上記のように高負荷電気機器を優先してそれぞれの電気機器の起動タイミングをずらすことによって、突入電流が発生しない上かご及び下かごの低負荷電気機器用のテールコード１４の線心を、起動時に突入電流が発生する上かご及び下かごの高負荷電気機器用の線心と共用することができる。それにより、テールコード１４全体として実質的に上かご及び下かごの低負荷電気機器用の線心数を削減することができる。この場合、第一段階及び第二段階の電圧降下分（図１０Ｃの電圧降下Ｖｄ１）と、第三段階の下かご高圧電気機器の突入電流による電圧降下分を考慮して、テールコード１４の線心数を決定すればよい。
【００８３】
したがって、第２の実施形態では、第１の実施形態と同様に、エレベーター１００Ａのコスト低減及び省エネルギー効果を期待することができ、またテールコード１４の重量低減による付随機器の小型化と、コスト低減を期待することができる。
【００８４】
なお、第２の実施形態では、一連の電力供給制御処理の手順を四段階に分けているが、この例に限らない。例えば、上かご２Ａと下かご２Ｂを必ず同時にサービスする場合は、図１０Ｂ（ｂ１）と図１０Ｃ（ｃ１）に示す起動タイミングを入れ替え、かつ、図１０Ｂ（ｂ１）と図１０Ｄ（ｄ１）に示す起動タイミングを同時にしてもほぼ同様の効果を得ることができる。ただし、この場合も、乗りかご側への供給電圧が目標電圧Ｖｔを下回ることを避けるために、突入電流が発生する上かごクーラー１１Ａと下かごクーラー１１Ｂを同時に起動することは避ける。また、突入電流が発生する上かごクーラー１１Ａ又は下かごクーラー１１Ｂと、低負荷である上かご照明器具１２Ａ又は下かご照明器具１２Ｂを同時に起動することも避ける。
【００８５】
＜３．第３の実施形態＞
第３の実施形態は、本発明を、一つの乗りかごに複数の高負荷電気機器が設置されているエレベーターに適用した例である。
【００８６】
［エレベーターの電気系統］
図１１は、第３の実施形態に係るエレベーター１００の電気系統の概略を示す説明図である。図１１に示す乗りかご２は複数の高負荷電気機器（第１クーラー１１−１及び第２クーラー１１−２）が設置されている点を除けば、図２の構成と同様である。また、制御装置９の内部構成は、図３の構成と同様である。
【００８７】
図１１に示すように、同一乗りかご２内に、突入電流が発生する高負荷電気機器として第１クーラー１１−１及び第２クーラー１１−２、また低負荷電気機器として第１照明器具１２−１及び第２照明器具１２−２が設置されている。これらの各電気機器は、同じテールコード１４を介して、三相交流電源１０に接続されている。
【００８８】
ここで、テールコード１４を構成する線心１４ａ，１４ｂは、突入電流が発生する第１クーラー１１−１と第２クーラー１１−２への電力供給の起動タイミングをずらして行うものとしての線心数を有している。またテールコード１４は、第１クーラー１１−１又は第２クーラー１１−２と、低負荷である第１照明器具１２−１又は第２照明器具１２−２への電力供給の起動タイミングをずらして行うものとしての線心数を有している。
【００８９】
［電力供給制御処理手法の手順］
図１２は、エレベーター１００の起動時における乗りかご２内の電気機器への電力供給制御処理手法の手順例を示すフローチャートである。図１２のステップＳ４１，Ｓ４２，Ｓ４７〜Ｓ５０の処理は、図６のステップＳ１，Ｓ２，Ｓ５〜Ｓ８の処理に対応する。また、電気機器の電源をオフする点において、図１２のステップＳ５１〜Ｓ５４の処理は、図６のステップＳ９，Ｓ１０の処理に対応する。
【００９０】
図１２において、エレベーター１００は、ホール呼びが発生する前は待機状態である（Ｓ４１）。乗りかご２のかごドア２ｄはそれぞれ閉じられ、乗りかご２に設置された第１クーラー１１−１及び第２クーラー１１−２、第１照明器具１２−１及び第２照明器具１２−２の電源は切られた状態となっている。この待機状態で、制御装置９の呼び検知部２１により、乗り場釦からのホール呼びが監視され（Ｓ４２）、ホール呼びが検出されない場合には（Ｓ４２のＮＯ）、呼び検知部２１はステップＳ４１の処理に移行して待機状態を継続する。
【００９１】
この待機状態でホール呼びが検出された場合には（Ｓ４２のＹＥＳ）、タイミング制御部２３により、各電気機器の起動タイミングをずらした一連の起動処理が行われる。まず、第一段階として、タイミング制御部２３は、スイッチＳＷ１をオンして起動時に突入電流が発生する第１クーラー１１−１を起動して電力供給を行う（Ｓ４３）。その後、第二段階として、タイミング制御部２３は、同じくスイッチＳＷ２をオンして起動時に突入電流が発生する第２クーラー１１−２を起動して電力供給を行う（Ｓ４４）。続く第三段階として、タイミング制御部２３は、スイッチＳＷ３をオンして低負荷である第１照明器具１２−１を起動して電力供給を行い（Ｓ４５）、第四段階として、同じくスイッチＳＷ４をオンして低負荷である第２照明器具１２−２を起動して電力供給を行う（Ｓ４６）。
【００９２】
そして、制御装置９は、乗りかご２をホール呼びが行われた階（呼び階）に移動させ、かごドア２ｄの開放を行い（Ｓ４７）、その後、エレベーター１００の通常サービスへ移行する（Ｓ４８）。
【００９３】
通常サービスへ移行後にホール呼びがない状況において、タイミング制御部２３は、乗りかご２のかごドア２ｄの開閉状態を監視する（Ｓ４９）とともに、人感センサー２７により乗りかご２内の乗客の有無を監視する（Ｓ５０）。ここで、乗りかご２のかごドア２ｄが閉状態であり（Ｓ４９のＹＥＳ）、乗りかご２に乗客がいない場合には（Ｓ５０のＹＥＳ）、タイミング制御部２３は、スイッチＳＷ１，ＳＷ２をオフして第１クーラー１１−１及び第２クーラー１１−２の電源をオフする（Ｓ５１，Ｓ５２）。また、タイミング制御部２３は、スイッチＳＷ３，ＳＷ４をオフして第１照明器具１２−１及び第２照明器具１２−２の電源をオフする（Ｓ５３，Ｓ５４）。
【００９４】
また、タイミング制御部２３は、乗りかご２内に乗客がいる（本例では測定した荷重が積載荷重の０％ではない）場合には（Ｓ５０のＮＯ）、ステップＳ４８の処理に移行して通常サービスを継続する。タイミング制御部２３は、ステップＳ５１〜Ｓ５４の処理が終了後、本フローチャートの処理を終了する。
【００９５】
［電流電圧波形］
次に、エレベーター１００の起動時における乗りかご２内の電気機器への電力供給制御処理手法について図１３を参照して説明する。
【００９６】
図１３は、エレベーター１００の起動時（図１２のＳ４３〜Ｓ４６）における乗りかご２内の電気機器への電力供給制御処理手法を示す電流電圧波形図である。図１３Ａは乗りかご２内の第１の高負荷電気機器（第１クーラー１１−１）に電力を供給したときの電流電圧波形、図１３Ｂは乗りかご２内の第２の高負荷電気機器（第２クーラー１１−２）に電力を供給したときの電流電圧波形を示す。図１３Ｃは乗りかご２内の第１の低負荷電気機器（第１照明器具１２−１）に電力を供給したときの電流電圧波形、図１３Ｄは乗りかご２内の第２の低負荷電気機器（第２照明器具１２−２）に電力を供給したときの電流電圧波形をそれぞれ示す。
【００９７】
乗りかご２内の各電気機器への電力供給の手順は、まず、第一段階で、スイッチＳＷ１をオンして突入電流Ｉ１が発生する第１クーラー１１−１を起動させて電力供給を行う。図１３Ａ（ａ１）に示すように、突入電流Ｉ１が発生する第１クーラー１１−１を起動させて電力供給を行うと、第一段階から比較的大きな突入電流Ｉ１が流れ始め、その後、負荷電流は安定した定常電流となり、図１３Ａ（ａ２）に示すように、およそ一定の電圧降下が生じる。
【００９８】
次いで、図１３Ｂ（ｂ１）に示すように、突入電流Ｉ１が安定した定常電流となった第二段階で、スイッチＳＷ２をオンして同じく突入電流Ｉ２が発生する第２クーラー１１−２を起動させて電力供給を行う。すると、第二段階において比較的大きな突入電流Ｉ２が流れ始め、その後、負荷電流は安定した定常電流となり、図１３Ｂ（ｂ２）に示すように、およそ一定の電圧降下が生じる。
【００９９】
その後、安定した定常電流となった第三段階で、スイッチＳＷ３をオンして低負荷である第１照明器具１２−１を起動させて電力供給を行う。このとき、第１クーラー１１−１及び第２クーラー１１−２の場合のような突入電流が流れない。そのため、図１３Ｃ（ｃ１）に示すように、第１クーラー１１−１、第２クーラー１１−２及び第１照明器具１２−１の運転が共に継続される。テールコード１４にこれらの電流が重畳された負荷電流が供給されても、図１３Ｃ（ｃ２）に示すように、乗りかご２側への供給電圧が目標電圧Ｖｔを下回ることがなく比較的穏やかな電圧降下となる。
【０１００】
さらに、その後の第四段階で、スイッチＳＷ４をオンして同じく低負荷である第２照明器具１２−２を起動させて電力供給を行う。このとき、第１クーラー１１−１及び第２クーラー１１−２の場合のような突入電流が流れない。そのため、図１３Ｄ（ｄ１）に示すように、第１クーラー１１−１、第２クーラー１１−２及び第１照明器具１２−１の運転が共に継続される。テールコード１４にこれらの電流が重畳された負荷電流が供給されても、図１３Ｄ（ｄ２）に示すように、乗りかご２側への供給電圧が目標電圧Ｖｔを下回ることがなく比較的穏やかな電圧降下となる。
【０１０１】
なお、スイッチＳＷ１〜スイッチＳＷ４の各スイッチの投入間隔は、一定の設定時間でもよい。あるいは、スイッチＳＷ１とスイッチＳＷ２の間、及び、スイッチＳＷ２とスイッチＳＷ３の間を、高負荷電気機器（第１クーラー１１−１及び第２クーラー１１−２）が確実に定常状態となるように、長めの時間に設定してもよい。
【０１０２】
上述した第３の実施形態によれば、同一電源を共用する乗りかご２内の電気機器（負荷）を、第１クーラー１１−１及び第２クーラー１１−２のような突入電流が発生する高負荷電気機器と、第１照明器具１２−１及び第２照明器具１２−２のような低負荷電気機器に区分する。そして、上記のように高負荷電気機器を優先してそれぞれの電気機器の起動タイミングをずらすことによって、突入電流が発生しない低負荷電気機器用のテールコード１４の線心を、起動時に突入電流が発生する高負荷電気機器用の線心と共用することができる。それにより、それにより、テールコード１４全体として実質的に低負荷電気機器用の線心数を削減することができる。
【０１０３】
したがって、第３の実施形態では、第１及び第２の実施形態と同様に、エレベーター１００のコスト低減及び省エネルギー効果を期待することができ、またテールコード１４の重量低減による付随機器の小型化と、コスト低減を期待することができる。さらに、本実施形態においては、第２クーラー１１−２を起動する前の電圧降下Ｖｄ２は第１クーラー１１−１の定常状態の電圧降下分だけであるから、第２の実施形態の同じ条件の電圧降下Ｖｄ１よりも小さい。よって、本実施形態は、電圧降下の差分（Ｖｄ１−Ｖｄ２）の分だけ、第２の実施形態よりもテールコード１４の線心数を削減する効果が大きい。
【０１０４】
なお、第２の実施形態では、一連の電力供給制御処理の手順を四段階に分けているが、この例に限らない。例えば、図１３Ｂ（ｂ１）と図１３Ｃ（ｃ１）に示す起動タイミングを入れ替えた場合、また図１３Ｃ（ｃ１）と図１３Ｄ（ｄ１）に示す起動タイミングを同時とした場合でも、ほぼ同様の効果を得ることができる。ただし、この場合も、乗りかご側への供給電圧が目標電圧Ｖｔを下回ることを避けるために、突入電流が発生する第１クーラー１１−１と第２クーラー１１−２を同時に起動することは避け、また突入電流が発生する第１クーラー１１−１又は第２クーラー１１−２と、低負荷である第１照明器具１２−１又は第２照明器具１２−２を同時に起動することも避ける。
【０１０５】
また上述した各実施形態では、起動時に突入電流が発生する高負荷電気機器としてクーラーを例示し、低負荷電気機器として照明器具を例示したが、これに限定するものではない。例えば、突入電流を発生する電気機器として、巻き線機器である電動機を用いるエアーコンディショナーやファン、同じ巻き線機器である電圧変圧器、大容量のコンデンサを持つ機器などが適用される。また、低負荷電気機器としては、例えば乗りかご内に設置された表示パネルや釦ランプ、プリント基板、アナログ／デジタル変換器などが適用される。また、スイッチとして電磁接触器の補助接点を用いたが他のスイッチ手段でもよい。
【０１０６】
また、乗りかごの電気機器の電源用配線に関して、制御装置９からこれらの電気機器までの配線長が長くなると配線の導体抵抗が増加するため、テールコード１４の線心数を増やすことで導体抵抗を減らし、電気機器の不動作を防止しなければならない。特に、起動時に大きな突入電流が発生する電気機器に関しては、テールコード１４の使用線心を多く必要とするため、場合によってはクーラー専用にテールコードを付設することが行われたりする。しかし、テールコードの使用線心が追加されると、テールコード単体としてのコストアップに限らず、テールコードの吊り機構等の付随品が追加され大幅なコストアップとなってしまう。これらの問題も、上述した第１〜第３の実施形態に例示したような本発明の電力供給制御処理手法によって解決することができる。
【０１０７】
さらに、本発明は上述した各実施形態例に限られるものではなく、特許請求の範囲に記載した本発明の要旨を逸脱しない限りにおいて、その他種々の応用例、変形例を取り得ることは勿論である。
【０１０８】
例えば、上述した実施形態例は本発明を分かりやすく説明するために装置及びシステムの構成を詳細且つ具体的に説明したものであり、必ずしも説明した全ての構成を備えるものに限定されるものではない。また、ある実施形態例の構成の一部を他の実施形態例の構成に置き換えることは可能である。また、ある実施形態例の構成に他の実施形態例の構成を加えることも可能である。また、各実施形態例の構成の一部について、他の構成の追加、削除、置換をすることも可能である。
【０１０９】
また、上記の各構成、機能、処理部、処理手段等は、それらの一部又は全部を、例えば集積回路で設計する等によりハードウェアで実現してもよい。
【０１１０】
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【０１１１】
２…乗りかご、  ９…制御装置、  １１…クーラー、  １２…照明器具、  ２１…呼び検知部、  ２２…ドア状態判定部、  ２３…タイミング制御部、  ２４…電源投入部、  ２５…電気機器テーブル、  １００…エレベーター、  ＳＷ１〜ＳＷ４…スイッチ
【図１】
2019006532.tif 000003
【図２】
2019006532.tif 000004
【図３】
2019006532.tif 000005
【図４】
2019006532.tif 000006
【図５】
2019006532.tif 000007
【図６】
2019006532.tif 000008
【図７】
2019006532.tif 000009
【図８】
2019006532.tif 000010
【図９】
2019006532.tif 000011
【図１０】
2019006532.tif 000012
【図１１】
2019006532.tif 000013
【図１２】
2019006532.tif 000014
【図１３】
2019006532.tif 000015